(57)【要約】【課題】携帯電話機においてあるグループる属する着信用メロディデータを全てダウンロードした顧客に対して他の着信用メロディなどのインセンティブを付与できるコンテンツ提供方法を提供する。【解決手段】インセンティブ用のボーナスデータを複数に分割してダウンロードサービス用の着信用メロディデータにインセンティブ情報として埋め込んでおく。携帯電話機の利用者が、このグループの着信用メロディデータを全てダウンロードすると、各着信用メロディデータに埋め込まれているインセンティブ情報を取り出して通常では入手できないインセンティブ用のボーナスコンテンツを再構成することができる。これにより、このグループの全ての着信用メロディデータをダウンロードする販売促進につなげることができる。【選択図】　図２
2004030307.tif 000002
【特許請求の範囲】
【請求項１】
サーバ装置において、複数のメインコンテンツを記憶するとともに、分割された所定コンテンツの断片を付属情報として各メインコンテンツに付加し、
サーバ装置からメインコンテンツをダウンロードする端末装置において、前記複数のメインコンテンツをダウンロードしたとき、各メインコンテンツに付加されている付属情報を取り出し、この付属情報を合成して前記所定コンテンツを生成するコンテンツ提供方法。
【請求項２】
前記所定コンテンツの合成はチェックプログラムが実行する請求項１に記載のコンテンツ提供方法。
【請求項３】
サーバ装置において、複数のメインコンテンツおよび所定コンテンツを記憶するとともに、キーデータを生成するための付属情報を各メインコンテンツに付加し、
サーバ装置からメインコンテンツをダウンロードする端末装置において、前記複数のメインコンテンツをダウンロードしたとき、各メインコンテンツに付加されている付属情報を取り出し、この付属情報に基づいてキーデータを生成し、このキーデータを用いて前記サーバ装置から前記所定コンテンツをダウンロードするコンテンツ提供方法。
【請求項４】
前記キーデータは、前記所定コンテンツをダウンロードするためのＵＲＬまたはパスワードである請求項３に記載のコンテンツ提供方法。
【請求項５】
前記キーデータの生成はチェックプログラムが実行する請求項３または請求項４に記載のコンテンツ提供方法。
【請求項６】
サーバ装置に、複数のメインコンテンツを記憶しておき、
サーバ装置からメインコンテンツをダウンロードする端末装置において、前記複数のメインコンテンツがダウンロードされたかをチェックし、該チェックの結果により所定コンテンツを出力するコンテンツ提供方法。
【請求項７】
前記複数のメインコンテンツがダウンロードされたかのチェックはチェックプログラムが実行し、このチェックプログラムが所定コンテンツを内蔵している請求項６に記載のコンテンツ提供方法。
【請求項８】
サーバ装置が端末装置によるメインコンテンツのダウンロード履歴を記憶しており、このダウンロード履歴によって前記複数のメインコンテンツがダウンロードされたかをチェックする請求項６に記載のコンテンツ提供方法。
【請求項９】
前記チェックプログラムは、前記サーバ装置からダウンロードされる請求項２、請求項５または請求項７に記載のコンテンツ提供方法。
【請求項１０】
前記端末装置は携帯電話機であり、前記メインコンテンツは着信用メロディデータである請求項１乃至請求項９のいずれかに記載のコンテンツ提供方法。
【請求項１１】
所定コンテンツの断片である付属情報が付加された複数のメインコンテンツをダウンロードする通信手段と、
前記複数のメインコンテンツがダウンロードされたとき、各メインコンテンツに付加されている付属情報を取り出し、この付属情報を合成して前記所定コンテンツを生成するコンテンツ生成手段と、
を備えた情報端末装置。
【請求項１２】
サーバ装置からコンテンツをダウンロードする通信手段と、
この通信手段を介して、キーデータを生成するための付属情報が付加された複数のメインコンテンツをダウンロードし、
前記複数のメインコンテンツをダウンロードしたとき、各メインコンテンツに付加されている付属情報を取り出し、この付属情報に基づいてキーデータを生成し、
このキーデータを用い、前記通信手段を介して、所定コンテンツをダウンロードする制御手段と、
を備えた情報端末装置。
【請求項１３】
前記キーデータは、前記所定コンテンツをダウンロードするためのＵＲＬまたはパスワードである請求項１２に記載の情報端末装置。
【請求項１４】
サーバ装置から複数のメインコンテンツをダウンロードする通信手段と、
前記複数のメインコンテンツがダウンロードされたかをチェックし、該チェック結果により、内蔵している所定コンテンツを出力するチェックプログラムを実行する制御手段と、
を備えた情報端末装置。
【請求項１５】
前記チェックプログラムは、前記サーバ装置からダウンロードされる請求項１４に記載の情報端末装置。
【請求項１６】
前記メインコンテンツとして着信用メロディデータをダウンロードする携帯電話機である請求項１１乃至請求項１５に記載の情報端末装置。
【請求項１７】
情報端末装置の制御部に、サーバ装置からダウンロードされてきた複数のメインコンテンツに所定のグループに属する複数のメインコンテンツが含まれているかをチェックし、該チェック結果により、内蔵している所定コンテンツを出力する処理を実行させるダウンロードコンテンツチェックプログラム。
【発明の詳細な説明】
【０００１】
【発明の属する技術分野】
この発明は、携帯電話機などの情報端末装置におけるコンテンツのダウンロードを促進するためのインセンティブとして、このコンテンツ（メインコンテンツ）を複数ダウンロードすると、それとは別の所定コンテンツを提供するコンテンツ提供方法、およびこの所定コンテンツの提供に用いられる情報端末装置、ダウンロードコンテンツチェック方法に関する。
【０００２】
【発明が解決しようとする課題】
携帯電話機の着信用メロディデータ（着メロデータ）などのようにダウンロードサービスをしているコンテンツがある。着信用メロディデータのダウンロードサービスは有料である場合が多いため、多くダウンロードされたほうが営業的には有利である。そこで、利用者の着信用メロディデータのダウンロードを促進するために、多くの着信用メロディデータをダウンロードしてくれた利用者には何らかのインセンティブを付与することが考えられる。ここで、インセンティブとは、メインコンテンツに付加される付録的なコンテンツなどの特典であり、メインコンテンツの販売促進手法としてこのようなインセンティブを付与することにより、利用者のダウンロードを促進することができる。インセンティブの付与方法としては種々の方式があるが、着信用メロディデータのダウンロードサービスにおいては、このダウンロードサービスの機能を活かしたインセンティブの付与の仕方が望まれる。
【０００３】
この発明は、携帯電話機などの情報端末装置において複数のコンテンツをダウンロードした顧客に対してコンテンツからなるインセンティブを付与できるコンテンツ提供方法、情報端末装置、および、ダウンロードコンテンツチェック方法を提供することを目的とする。
【０００４】
【課題を解決するための手段】
請求項１の発明は、サーバ装置において、複数のメインコンテンツを記憶するとともに、分割された所定コンテンツの断片を付属情報として各メインコンテンツに付加し、
サーバ装置からメインコンテンツをダウンロードする端末装置において、前記複数のメインコンテンツをダウンロードしたとき、各メインコンテンツに付加されている付属情報を取り出し、この付属情報を合成して前記所定コンテンツを生成することを特徴とする。
請求項２の発明は、上記発明において、前記所定コンテンツの合成はチェックプログラムが実行することを特徴とする。
請求項１１の発明である情報端末装置は、所定コンテンツの断片である付属情報が付加された複数のメインコンテンツをダウンロードする通信手段と、前記複数のメインコンテンツがダウンロードされたとき、各メインコンテンツに付加されている付属情報を取り出し、この付属情報を合成して前記所定コンテンツを生成するコンテンツ生成手段と、を備えたことを特徴とする。
【０００５】
この発明では、所定コンテンツを分割して、その分割された断片を複数のメインコンテンツに付属情報として付加しておく。メインコンテンツが携帯電話機の着信用メロディデータの場合には、複数のメインコンテンツはある特定の歌手の曲などのある特徴でまとめることのできるグループに属する複数の着信用メロディデータとすればよい。また、メインコンテンツのファイルフォーマットが、たとえばＳＭＡＦ（Ｓｙｎｔｈｅｔｉｃ　ｍｕｓｉｃ　Ｍｏｂｉｌｅ　Ａｐｐｌｉｃａｔｉｏｎ　Ｆｏｒｍａｔ）形式であれば、拡張チャンクの情報としてこの付属情報を埋め込んでおけばよい。この複数のメインコンテンツをダウンロードし、付加されている付属情報を取り出して組み合わせることにより、所定コンテンツが再構成され、通常のダウンロードでは得ることのできないコンテンツを利用者に提供することができる。
なお、付属情報を取り出して組み合わせる処理は、利用者の手作業で行うこともできるが、チェックプログラムを用いて自動的に行うようにしてもよい。
【０００６】
請求項３の発明は、サーバ装置において、複数のメインコンテンツおよび所定コンテンツを記憶するとともに、キーデータを生成するための付属情報を各メインコンテンツに付加し、
サーバ装置からメインコンテンツをダウンロードする端末装置において、前記複数のメインコンテンツをダウンロードしたとき、各メインコンテンツに付加されている付属情報を取り出し、この付属情報に基づいてキーデータを生成し、このキーデータを用いて前記サーバ装置から前記所定コンテンツをダウンロードすることを特徴とする。
請求項４の発明は、上記発明において、前記キーデータは、前記所定コンテンツをダウンロードするためのＵＲＬまたはパスワードであることを特徴とする。
請求項５の発明は、上記発明において、前記キーデータの生成はチェックプログラムが実行することを特徴とする。
請求項１２の発明である情報端末装置は、サーバ装置からコンテンツをダウンロードする通信手段と、この通信手段を介して、キーデータを生成するための付属情報が付加された複数のメインコンテンツをダウンロードし、前記複数のメインコンテンツをダウンロードしたとき、各メインコンテンツに付加されている付属情報を取り出し、この付属情報に基づいてキーデータを生成し、このキーデータを用い、前記通信手段を介して、所定コンテンツをダウンロードする制御手段と、を備えたことを特徴とする。
請求項１３の発明は、上記発明において、前記キーデータは、前記所定コンテンツをダウンロードするためのＵＲＬまたはパスワードであることを特徴とする。
【０００７】
この発明では、複数のメインコンテンツにキーデータを生成するための付属情報を付加しておく。メインコンテンツが携帯電話機の着信用メロディデータの場合には、複数のメインコンテンツはある特定の歌手の曲などのある特徴でまとめることのできるグループに属する複数の着信用メロディデータとすればよい。また、メインコンテンツのファイルフォーマットが、たとえばＳＭＡＦ（Ｓｙｎｔｈｅｔｉｃ　ｍｕｓｉｃ　Ｍｏｂｉｌｅ　Ａｐｐｌｉｃａｔｉｏｎ　Ｆｏｒｍａｔ）形式であれば、拡張チャンクの情報としてこの付属情報を埋め込んでおけばよい。この複数のメインコンテンツをダウンロードし、付加されている付属情報を取り出し、キーデータを生成することにより、このキーデータを用いて所定コンテンツをダウンロードすることができ、通常のコンテンツダウンロードでは得ることのできないコンテンツを利用者に提供することができる。
なお、付属情報を取り出して組み合わせる処理は、利用者の手作業で行うこともできるが、チェックプログラムを用いて自動的に行うようにしてもよい。
【０００８】
請求項６の発明は、サーバ装置に、複数のメインコンテンツを記憶しておき、サーバ装置からメインコンテンツをダウンロードする端末装置において、前記複数のメインコンテンツがダウンロードされたかをチェックし、該チェックの結果により所定コンテンツを出力することを特徴とする。
請求項７の発明は、上記発明において、前記複数のメインコンテンツがダウンロードされたかのチェックはチェックプログラムが実行し、このチェックプログラムが所定コンテンツを内蔵していることを特徴とする。
請求項８の発明は、上記発明において、サーバ装置が端末装置によるメインコンテンツのダウンロード履歴を記憶しており、このダウンロード履歴によって前記複数のメインコンテンツがダウンロードされたかをチェックすることを特徴とする。
請求項１４の発明である情報端末装置は、サーバ装置から複数のメインコンテンツをダウンロードする通信手段と、前記複数のメインコンテンツがダウンロードされたかをチェックし、該チェック結果により、内蔵している所定コンテンツを出力するチェックプログラムを実行する制御手段と、を備えたことを特徴とする。
請求項１５の発明は、上記発明において、前記チェックプログラムは、前記サーバ装置からダウンロードされることを特徴とする。
請求項１７の発明であるダウンロードコンテンツチェックプログラムは、情報端末装置の制御部に、サーバ装置からダウンロードされてきた複数のメインコンテンツに所定のグループに属する複数のメインコンテンツが含まれているかをチェックし、該チェック結果により、内蔵している所定コンテンツを出力する処理を実行させることを特徴とする。
【０００９】
この発明では、情報端末装置が、複数のメインコンテンツをダウンロードしたとき内蔵の所定コンテンツを出力する。メインコンテンツが携帯電話機の着信用メロディデータの場合には、複数のメインコンテンツはある特定の歌手の曲などのある特徴でまとめることのできるグループに属する複数の着信用メロディデータとすればよい。上記所定コンテンツは情報端末装置が固定的に内蔵しているものであってもよく、上記グループに合わせたチェックプログラムをインストールするようにしてもよい。これにより、通常のコンテンツダウンロードでは得ることのできないコンテンツを利用者に提供することができる。
なお、チェックプログラムは、サーバ装置からダウンロードすることもできるし、ケーブルを介して転送することも可能であり、そのインストール方法は問わない。ただし、メインコンテンツと同様にサーバ装置が提供すれば、コンテンツのダウンロードと同様の操作でチェックプログラムをダウンロードすることができるため、利用者にとって都合がよい。
【００１０】
請求項９の発明は、請求項２、５、７の発明において、前記チェックプログラムは、前記サーバ装置からダウンロードされることを特徴としている。
請求項９の発明は、請求項１〜９の発明において、前記端末装置は携帯電話機であり、前記メインコンテンツは着信用メロディデータであることを特徴とする。
請求項１６の発明は、請求項１１〜１５の発明において、前記メインコンテンツとして着信用メロディデータをダウンロードする携帯電話機であることを特徴とする。
【００１１】
【発明の実施の形態】
図１はこの発明の実施形態である携帯コンテンツ配信システムの構成を示す図である。この実施形態では、携帯電話機および着信用メロディデータを情報端末装置およびメインコンテンツの例として説明する。携帯電話機３は携帯電話交換網２を介して他の電話機およびサーバ装置１に接続される。サーバ装置１は、携帯電話交換網２を介して携帯電話機３に対して着信用メロディデータを配信する装置である。
【００１２】
ここで、着信用メロディデータの配信は、一般的には有料のダウンロードサービスとして提供されるが、有料であっても無料であってもよい。ただし、この発明の特徴であるボーナスデータの提供をインセンティブとする場合には、有料のダウンロードサービスとするのが適当であろう。
【００１３】
携帯電話機３は、電話の着信時および任意の時の所持者の操作により、内部に記憶している楽曲データを再生して楽音を発生する。この楽音が着信用メロディであり、この楽曲データが着信用メロディデータである。なお、着信用メロディデータは、携帯電話機３の通信機能を利用してサーバ装置１からダウンロードされるほか、通信ケーブル５を介して接続される外部記憶媒体４からも転送されるが、以下は、全てサーバ装置１からダウンロードする場合について説明する。
【００１４】
サーバ装置１は、制御部１０、記憶部１１、通信処理部１２を有しており、記憶部１１には、複数のメインコンテンツ（着信用メロディデータ）が記憶されている（以下着信用メロディデータをメインコンテンツとも呼ぶ）。着信用メロディデータの多くは、オリジナルの歌を歌っている歌手で分類することができ、ここではこれをグループという。なお、グループの分類はオリジナル歌手によるものに限定されない。たとえば、任意のテーマによるものであってもよい。メインコンテンツは複数のグループに分類されて記憶されている。携帯電話機３（の利用者）は、このサーバ装置１にアクセスして、どのグループのどのメインコンテンツでも自由にダウンロードすることができる。ただし、有料サービスの場合には、ダウンロード毎に所定の料金が課金される。
【００１５】
各グループのメインコンテンツには、そのグループのメインコンテンツをダウンロード（購入）する利用者に対するインセンティブであるボーナスコンテンツを利用者に提供するための付属情報であるインセンティブ情報が付加されている。すなわち、携帯電話機３（の利用者）が、所定のグループに属するメインコンテンツを全てダウンロード（購入）すると、各メインコンテンツに付加されているインセンティブ情報によって、新たな所定コンテンツであるボーナスコンテンツが、この携帯電話機３（の利用者）に提供される。
【００１６】
なお、ボーナスコンテンツとしては、他の（一般に配信していない）着信用メロディデータ、待ち受け画面用の歌手の画像データ、コンサートチケットやＣＤの引換（割引）クーポンとなる情報としての画像データなどがある。
【００１７】
図２、図３を参照して、ボーナスコンテンツの提供方式について説明する。
図２（Ａ）は、ボーナスコンテンツを複数に分割し、これをインセンティブ情報としてメインコンテンツに付加する方式、すなわちボーナスコンテンツ自体をメインコンテンツに付加する方式を示した図である。グループに属する各メインコンテンツに対して、分割されたボーナスコンテンツの断片をインセンティブ情報として付加する。携帯電話機３においては、このグループのメインコンテンツを全てダウンロードし、記憶手段（データベース）に全てのメインコンテンツが揃ったとき、各メインコンテンツに付加されているインセンティブ情報を取り出して組み合わせることにより、欠けのないボーナスコンテンツが再構成され、再生等が可能になる。
【００１８】
同図（Ｂ）は、ボーナスコンテンツをダウンロードするためのキーデータをインセンティブ情報としてメインコンテンツに付加する方式を説明する図である。キーデータとしては、たとえばボーナスコンテンツをダウンロードするサイトのＵＲＬやダウンロードのためのパスワードなどがあり、インセンティブ情報はこれを分割したものやこれを生成するための暗号などで構成される。携帯電話機３においては、このグループのメインコンテンツを全てダウンロードし、ＲＡＭ（データベース）に全てのメインコンテンツが揃ったとき、各メインコンテンツに付加されているインセンティブ情報を取り出して組み合わせることにより、ボーナスコンテンツをダウンロードするためのＵＲＬやパスワードが生成され、携帯電話機３はこのＵＲＬやパスワードを用いてサーバ装置１にアクセスすることにより、ボーナスコンテンツをダウンロードすることができ、ボーナスコンテンツの再生等が可能になる。この場合において、キーデータのＵＲＬを一般の利用者はアクセスできないＵＲＬとするか、またはパスワードを用いなければアクセスできなくすることにより、ボーナスコンテンツを一般の利用者ではダウンロードできないコンテンツ（いわゆるレア物）にすることができ、より強くメインコンテンツのダウンロードを促す販売促進効果を発揮することができる。
【００１９】
図３（Ａ）は、携帯電話機３に予めダウンロードされるチェックプログラムにボーナスコンテンツを内蔵した方式を説明する図である。チェックプログラムとは、各グループに対応して設けられた（図１参照）プログラムであり、携帯電話機３にそのグループのメインコンテンツが全てダウンロードされ、ＲＡＭ（データベース）に全て揃っているかをチェックするアプリケーションプログラムであり、携帯電話機３上で動作するようにＪａｖａ（登録商標）などの言語で記述されたものである。そして、このチェックプログラムは、ボーナスコンテンツを内蔵しており、携帯電話機３が全てのメインコンテンツをダウンロードしていると判断した場合には、内蔵しているメインコンテンツの再生等を可能にする。このチェックプログラムも（無料で）サーバ装置１からダウンロード可能である。
【００２０】
チェックプログラムは、所定のタイミング、たとえば携帯電話機３がサーバ装置１からコンテンツをダウンロードする毎にチェック動作を実行し、このプログラムが担当するグループのメインコンテンツが全てダウンロードされていることを確認したとき内蔵しているボーナスコンテンツを出力またはアクセス可能にして、再生等を可能にする。
【００２１】
ボーナスコンテンツを獲得しようとする携帯電話機３の利用者は、所望のグループに対応するチェックプログラムを予め携帯電話機３にダウンロードしておき、そののちそのグループのメインコンテンツを全てダウンロードする。
【００２２】
なお、メインコンテンツを収集し始める前にチェックプログラムをダウンロードしておかなくても、そのグループのメインコンテンツを収集している途中、または全てのメインコンテンツをダウンロードしたのちにチェックプログラムをダウンロードすることによっても、携帯電話機３の利用者はボーナスコンテンツを獲得することができる。
【００２３】
すなわち、チェックプログラムは、コンテンツがダウンロードされる毎にグループのメインコンテンツが全て揃ったかをチェックするため、そのグループの最後のメインコンテンツがダウンロードされる前にチェックプログラムがダウンロードされていれば、そのグループの全てのメインコンテンツが揃ったとき（最後のメインコンテンツがダウンロードされたとき）に、ボーナスコンテンツが提供される。
【００２４】
また、既にそのグループのメインコンテンツが全てダウンロードされていた場合でも、チェックプログラムが、携帯電話機３にインストールされたときの最初の動作として（コンテンツのダウンロードとは無関係に）チェック動作を実行するようにしておけば、このチェック動作においてボーナスコンテンツを提供することができる。
【００２５】
また、図２（Ａ）、（Ｂ）に示す方式であっても、ボーナスプログラムを内蔵しないチェックプログラムを用いてもよい。このチェックプログラムは、携帯電話機３がコンテンツをダウンロードする毎に動作し、対応するグループのメインコンテンツが全てダウンロードされたことを確認した場合には、各メインコンテンツに付加されているインセンティブ情報を取り出してボーナスコンテンツを生成またはダウンロードする。
すなわち、チェックプログラムは特典賞品の応募ハガキのような機能を電子的に担当し、メインコンテンツに付加されたインセンティブ情報は商品の包装に付いている応募シールのような機能を電子的に担当するものである。
【００２６】
チェックプログラムは、サーバ装置１から（無料で）ダウンロード可能にすればよいが、携帯電話機３にインストールする方式はダウンロードに限定されない。たとえば、通信ケーブルを用いて店頭の端末装置から転送するなどの方式を適用することができる。
なお、図２（Ａ）、（Ｂ）に示す方式の場合には、携帯電話機３の利用者が、コピー・ペーストなどの手作業でボーナスコンテンツやキーデータを再構成するようにすることも可能である。
【００２７】
図３（Ｂ）は、サーバ装置１がメインコンテンツのダウンロード履歴を管理しており、いずれかのグループのメインコンテンツを全てダウンロードした携帯電話機３に対してボーナスコンテンツをプッシュで送信する方式を示した図である。携帯電話機３は、サーバ装置１からコンテンツをダウンロードするとき、サーバ装置１に対して自局の電話番号などのＩＤを送信する。サーバ装置１は、各ＩＤ毎にコンテンツのダウンロード履歴を記憶しており、ある携帯電話機３のダウンロード履歴が所定のグループのメインコンテンツを全てダウンロードしたことを示しているとき、サーバ装置１は、その携帯電話機３に対して、所定のボーナスコンテンツを送信する。この送信は、携帯電話機３からの要求に基づくものではなく、サーバ装置１からのプッシュ送信で行われる。これにより、携帯電話機３ではこのボーナスコンテンツの再生等が可能になる。
【００２８】
図４は携帯電話機３のブロック図である。携帯電話機３は、ＣＰＵ２０、ＲＯＭ２１、ＲＡＭ２２、入力部２３、表示部２４、通信部２５、音声処理部（エンコーダ／デコーダ）２６、楽曲再生部２７、バイブレータ２８が、バスを介して接続された構成になっている。通信部２５にはアンテナ３０が接続されており、音声処理部２６にはマイク３１、楽曲再生部２７にはスピーカ３２、３３が接続されている。スピーカ３２は通話用のスピーカであり、スピーカ３３は呼出用のスピーカである。着信用メロディはスピーカ３３から出力される。
【００２９】
通信部２５は、たとえば８００ＭＨｚ帯のデジタル通信機からなり、携帯電話交換網２を介して他の電話機やサーバ装置１と通信する。ＲＯＭ２１は、通話、楽曲データのアップ／ダウンロード・再生などの電話機の機能を制御するためのプログラムなどを記憶している。ＲＡＭ２２は、バッテリでバックアップされており、ダウンロードされたコンテンツを記憶するデータベースが設定されるとともに、前記チェックプログラムやユーザによって登録された電話番号などを記憶する。
【００３０】
入力部２３はテンキーなどのキーボードからなっており、表示部２４は、液晶ディスプレイを備えている。電話を掛ける場合には、入力部２３を操作して電話番号を入力するか登録された電話番号を選択する。そうすると、その電話番号が表示部２４に表示されるとともに、通信部２５を介してその電話番号が携帯電話交換網２に送信され、携帯電話交換網２を介してその電話機と通信が接続される。入力部２３は、サーバ装置１にアクセスするときの入力操作子を兼ねており、表示部２４は、画像を含むコンテンツを再生する場合に、その画像を表示する表示装置を兼ねている。
【００３１】
音声処理部２６は、エンコーダおよびデコーダを備えている。エンコーダは、マイク３１から入力された音声信号や楽曲再生部２７が形成した楽音信号をエンコードして通信部２５に入力する。デコーダは、通信部２５が携帯電話交換網２から受信した相手の通話音声などのデジタル音声信号をデコードして楽曲再生部２７に入力する。楽曲再生部２７は、ＭＩＤＩなどの形式で記述された着信用メロディデータに基づいて楽音信号を形成するとともに楽音信号や音声信号を増幅してスピーカ３２、３３に出力する。
【００３２】
通話時にマイク３１から音声信号が入力されると、この音声信号は音声処理部２６に入力されてデジタル信号に変換（エンコード）され、通信部２５からアンテナ３０を介して携帯電話交換網２に送信される。同時にこの音声信号は、楽曲再生部２７に入力されてモニタ音声としてスピーカ３２から出力される。
【００３３】
また、通話時に通信部２５が携帯電話交換網２からデジタル音声信号を受信すると、このデジタル音声信号は音声処理部２６のデコーダでアナログの音声信号に変換され、楽曲再生部２７のアンプで増幅されてスピーカ３２から出力される。
【００３４】
一方、他の電話機からの呼び出しが着信したとき、または利用者が着信用メロディの再生操作をしたとき、ＣＰＵ２０はＲＡＭ２２からいずれかの着信用メロディデータ（メインコンテンツ）を読み出して楽曲再生部２７に供給する。楽曲再生部２７はこの着信用メロディデータに基づいて楽音信号を形成し、これをアンプで増幅してスピーカ３３から出力する。
【００３５】
また、利用者が、着信用メロディデータ（メインコンテンツ）やチェックプログラムをダウンロードする場合には、入力部２３を操作してサーバ装置１にアクセスし、所望のコンテンツを選択してダウンロード操作を行う。これに対応してサーバ装置１からダウンロードされてきたコンテンツやプログラムはＲＡＭ２２に格納される。
【００３６】
図５は、着信用メロディデータなどのメインコンテンツを記述するフォーマットとして一般的なＳＭＡＦ形式のファイルの例を示す図である。ＳＭＡＦ（Ｓｙｎｔｈｅｔｉｃ　ｍｕｓｉｃ　Ｍｏｂｉｌｅ　Ａｐｐｌｉｃａｔｉｏｎ　Ｆｏｒｍａｔ）ファイルは、携帯電話などの携帯端末におけるマルチメディアコンテンツ用のデータフォーマットであり、主として携帯電話の着信用メロディのデータとして利用されているものである。ＳＭＡＦファイルは、複数のチャンクで構成されており、チャンクには、ＳＭＡＦファイルの基本構成要素であるコンテンツ情報、シーケンスデータ、楽曲情報のほか、拡張情報である表示系シーケンスデータ、付加情報などがある。
【００３７】
コンテンツ情報は、このＳＭＡＦファイルがどのような内容のものであるかを示す書誌的な情報からなる。シーケンスデータは着信用メロディなどの楽曲のシーケンスデータである。楽曲情報は複数トラックからなる上記シーケンスデータを制御するとともに、このシーケンスデータの楽曲の情報を記録したチャンクである。表示系シーケンスデータは、上記楽曲のシーケンスデータに同期させて画像を表示する場合に付加されるチャンクである。そして、付加情報として上記インセンティブ情報が付加される。
【００３８】
図６は、前記チェックプログラムの動作を示すフローチャートである。同図（Ａ）は、その概略動作を示している。携帯電話機３の通信機能によりサーバ装置１からコンテンツがダウンロードされると（ｓ１）、チェックプログラムが起動し、このダウンロードによってグループの全てのメインコンテンツの収集が完了したかをチェックする（ｓ２）。収集が完了した場合には、上記図２または図３（Ａ）の方式で新規のボーナスコンテンツの生成動作を実行する（ｓ３）。この生成動作は、図２、図３（Ａ）で説明したように、断片を組み合わせて再構成する動作、ＵＲＬをアクセスしてダウンロードする動作、内蔵しているボーナスコンテンツを出力する動作などを含む処理である。
【００３９】
同図（Ｂ）は上記チェックプログラムの詳細動作を示す図である。携帯電話機３は、サーバ装置１からコンテンツをダウンロードする。ダウンロードしたコンテンツは携帯電話機３のＲＡＭ２２に設定されているデータベースに記憶される。チェックプログラムは、データベースに新たなコンテンツが登録されると起動し、この新たに登録されたコンテンツが収集用コンテンツ、すなわちこのチェックプログラムが収集を監視しているグループのメインコンテンツであるかを判断する（ｓ１０）。収集用コンテンツであれば、前記データベースに対してこのグループの収集状況を確認する（ｓ１１）。確認の結果、収集が完了している場合には（ｓ１２）、図２、図３（Ａ）の方式で新規のボーナスコンテンツの生成動作を実行する（ｓ１３：生成方式は上記と同様である）。そしてこの生成されたボーナスコンテンツを表示、再生、登録する（ｓ１４）。
【００４０】
なお、ボーナスコンテンツ提供の条件は、グループに属する全てのメインコンテンツのダウンロードに限らず、一部または１つのコンテンツのダウンロードに対して提供してもよい。この場合のボーナスコンテンツを全てのメインコンテンツのダウンロードを行った場合のものに対して価値の小さいものにしてもよい。また、ダウンロードしたメインコンテンツの個数に応じて順次複数のボーナスコンテンツを提供してゆくようにしてもよい。
また、全てのメインコンテンツのダウンロードに加えてダウンロードした期間制限などをボーナスコンテンツの提供条件としてもよい。
【００４１】
この実施形態では、情報端末装置として携帯電話機を用い、メインコンテンツとして着信用メロディデータ（ＳＭＡＦファイル）を例にあげて説明したが、情報端末装置、メインコンテンツはこれに限定されない。また、ボーナスコンテンツも上述した他の着信用メロディデータ、待ち受け画面用の画像データ、コンサートチケットやＣＤの引換（割引）クーポンとなる画像データに限定されない。
【００４２】
情報端末装置としては、ＰＤＡなどの携帯情報端末装置のほか、据置・可搬のパーソナルコンピュータなどを適用することも可能である。また、メインコンテンツとしては、電子トレーディングカードなどの画像データを適用し、ボーナスコンテンツとして一般には販売されていないレアカードを適用することも可能である。
【００４３】
【発明の効果】
以上のようにこの発明によれば、利用者が情報端末装置を用いて複数のメインコンテンツを全てダウンロードしたとき、これに応じて利用者にボーナスコンテンツを提供することができるため、コンテンツをダウンロードして再生する情報端末装置の特性を活かしたインセンティブの提供が可能になる。
【図面の簡単な説明】
【図１】この発明の実施形態である携帯コンテンツ配信システムの構成を示す図
【図２】上記携帯コンテンツ配信システムにおけるボーナスコンテンツの提供方式を示す図
【図３】上記携帯コンテンツ配信システムにおけるボーナスコンテンツの提供方式を示す図
【図４】携帯電話機のブロック図
【図５】メインコンテンツのフォーマットの一例であるＳＭＡＦファイルの構成を示す図
【図６】携帯電話機にダウンロードされるチェックプログラムの動作を示すフローチャート
【符号の説明】
１…サーバ装置、２…携帯電話交換網、３…携帯電話機、
１０…制御部、１１…記憶部、１２…通信処理部、
２０…ＣＰＵ、２１…ＲＯＭ、２２…ＲＡＭ、２３…入力部、２４…表示部、
２５…通信部、２６…音声処理部、２７…楽曲再生部、２８…バイブレータ、３０…アンテナ、３１…マイク、３２，３３…スピーカ
【図１】
2004030307.tif 000003
【図２】
2004030307.tif 000004
【図３】
2004030307.tif 000005
【図４】
2004030307.tif 000006
【図５】
2004030307.tif 000007
【図６】
2004030307.tif 000008